(57)【特許請求の範囲】
【請求項１】
画像を表示するためのディスプレイシステムであって、
干渉変調器の表面に入射する光を変調するように構成される複数の干渉変調器を備える反射ディスプレイと、
集光光学素子の焦点距離が、前記集光光学素子と前記表面との間の距離よりも長くなるように、前記複数の干渉変調器のうちの少なくとも１つの干渉変調器の前記表面に対して配置された集光光学素子とを備え、
前記集光光学素子は、前記複数の干渉変調器のうちの２つの干渉変調器の合計の長さよりも大きい直径を有し、異なる視覚場所間における前記画像のカラーシフトを制限するように構成されるディスプレイシステム。
【請求項２】
前記集光光学素子は正のパワーを持った光学素子からなる請求項１に記載のディスプレイシステム。
【請求項３】
前記集光光学素子は回折光学素子からなる請求項１に記載のディスプレイシステム。
【請求項４】
前記回折光学素子はバイナリ光学素子からなる請求項３に記載のディスプレイシステム。
【請求項５】
前記回折光学素子は拡散器を備える請求項３に記載のディスプレイシステム。
【請求項６】
前記複数の干渉変調器を支え、前記集光光学素子を支える基板をさらに備え、前記複数の干渉変調器はカラーの光を出力するように構成され、前記ディスプレイシステムは３０インチを上回る対角サイズを有する請求項１に記載のディスプレイシステム。
【請求項７】
前記基板は前記集光光学素子と前記複数の変調器の間に位置する請求項６に記載のディスプレイシステム。
【請求項８】
前記集光光学素子は前記複数の干渉変調器と前記基板の間に位置する請求項６に記載のディスプレイシステム。
【請求項９】
前記複数の干渉変調器は前記集光光学素子と前記基板の間に位置する請求項６に記載のディスプレイシステム。
【請求項１０】
ディスプレイシステムを製造する方法であって、
第１の基板上に複数の干渉変調器を備える反射ディスプレイを形成することと、
第２の基板上に集光光学素子を、前記集光光学素子の焦点距離よりも短い距離だけ前記複数の干渉変調器から離れたところに、形成することとを備え、
前記集光光学素子は、前記複数の干渉変調器のうちの２つの干渉変調器の合計の長さより大きい直径を有し、異なる視覚場所間における前記画像のカラーシフトを制限するように構成される方法。
【請求項１１】
前記少なくとも１つの集光光学素子を形成することは、前記基板上に少なくとも１つの材料層を堆積することを備える請求項１０に記載の方法。
【請求項１２】
前記少なくとも１つの集光光学素子を形成することは、前記少なくとも１つの材料層をパターン化することを更に含む請求項１１に記載の方法。
【請求項１３】
前記少なくとも１つの集光光学素子を形成することは、回折光学素子を形成することを備える請求項１０に記載の方法。
【請求項１４】
前記回折光学素子を形成することは、前記基板上にバイナリ光学素子を形成することを備える請求項１３に記載の方法。
【請求項１５】
前記回折光学素子を形成することは、材料をパターン化し、複数の回折機能を形成することを備える請求項１３に記載の方法。
【請求項１６】
前記第１の基板は前記第２の基板を備える請求項１０に記載の方法。
【請求項１７】
前記集光光学素子及び前記複数の変調器は、これらの間に位置する前記第１の基板によって形成される請求項１０に記載の方法。
【請求項１８】
前記集光光学素子は、前記複数の干渉変調器と前記第１の基板との間に配置されるように形成される請求項１０に記載の方法。
【請求項１９】
前記複数の干渉変調器は、前記集光光学素子と前記第１の基板との間に位置するように形成される請求項１０に記載の方法。
【請求項２０】
請求項１０に記載の方法によって製造されるディスプレイシステム。
【請求項２１】
前記複数の干渉変調器と電気的に通信しているプロセッサであって、画像データを処理するように構成される前記プロセッサと、
前記プロセッサと電気的に通信するメモリ装置と、
を更に備える請求項１に記載のディスプレイシステム。
【請求項２２】
前記複数の干渉変調器に少なくとも１つの信号を送信するように構成されたドライバ回路を更に備える請求項２１に記載のディスプレイシステム。
【請求項２３】
前記画像データの少なくとも一部を前記ドライバ回路に送信するように構成されたコントローラを更に備える請求項２２に記載のディスプレイシステム。
【請求項２４】
前記画像データを前記プロセッサに送信するように構成された画像ソースモジュールを更に備える請求項２１に記載のディスプレイシステム。
【請求項２５】
前記画像ソースモジュールは、受信機、トランシーバ、及び送信機の少なくとも１つを備える請求項２４に記載のディスプレイシステム。
【請求項２６】
入力データを受信し、前記入力データを前記プロセッサに通信するように構成された入力装置を更に備える請求項２１に記載のディスプレイシステム。
【発明の詳細な説明】
【技術分野】
【０００１】
本発明の分野は微小電気機械システム（ＭＥＭＳ）に関する。
【背景技術】
【０００２】
微小電気機械システム（ＭＥＭＳ）は、微小機械素子、アクチュエータ及び電子機器を含む。微小機械要素は、堆積、エッチング、及び又は他の微小機械加工処理を使用して作成される。この微小機械加工処理は、基板及び／又は堆積された材料層の部分をエッチングで取り去ったり、あるいは層を追加して、電気装置及び電気機械装置を形成する。１つの種類のＭＥＭＳ装置は干渉変調器と呼ばれる。干渉変調器は１組の伝導板を備えてよく、その内の１枚又は両方ともは全体に又は部分的に透明及び／又は反射型であってよく、適切な電気信号が加えられると、関連する運動を行うことができる。一方の板は基板上に堆積された静止層を備えてよく、他方の板は空隙により前記静止層から分離される金属性の膜を備えてよい。このような装置には幅広い用途があり、これらの種類の装置の特徴を活用する、及び／又は改良することが当技術分野においては有益であろう。これによって、それらの特徴が既存の製品を改善し、まだ開発されていない新製品を作成する上で利用できるようになる。
【特許文献１】米国公告出願第２００４／００５１９２９号
【非特許文献１】“Diffractive Optics: Design, Fabrication, & Test”, Donald C.O’Shea, Thomas J.Sulski, Alan D.Kathman, Dennis W.Prather (Society of Photo-Optical Instrumentation Engineering 2003)
【発明の開示】
【０００３】
本発明のシステム、方法及び装置のそれぞれは複数の態様を有し、その内のどの単独の態様もその所望される属性に単独で関与しない。本発明の範囲を制限することなく、そのさらに顕著な機能がここで簡略に説明される。この説明を検討した後、及び特に「発明を実施するための最良の形態」と題される項を読んだ後に、本発明の特徴が他のディスプレイ装置に優る利点をどのようにして提供するのかを理解するであろう。
【０００４】
一実施形態は画像を表示するためのディスプレイシステムである。前記ディスプレイシステムはその表面に入射する光を変調するように構成される複数の干渉変調器を含む。ディスプレイシステムは前記複数の干渉変調器の内の少なくとも１台の表面に対して配置される集光光学素子をさらに含み、これによって、光学素子の焦点距離が、前記光学素子と前記表面との間の距離より長くなるようにしている。
【０００５】
別の実施形態はディスプレイシステムを製造する方法である。前記方法は第１の基板上に複数の干渉変調器を形成することを含む。前記方法は、第２の基板上に集光光学素子を形成することをさらに含む。前記光学素子は、前記光学素子の焦点距離が前記光学素子と前記少なくとも１つの表面との間の距離より長くなるように、前記複数の干渉変調器の内の少なくとも１つのうちの、少なくとも１つの表面に対して配置される。別の実施形態は、この方法に従って製造されたディスプレイシステムである。
【０００６】
別の実施形態は画像を表示するためのディスプレイシステムである。前記ディスプレイシステムは、その上に入射する光を干渉的に変調するための手段と、様々な視聴場所の間で画像の少なくとも一部のカラーシフトを制限するように適応される集光のための手段とを含む。
【０００７】
別の実施形態は、第１の基板上に複数の干渉変調器を形成することと、第２の基板上に集光回折光学素子を形成し、前記光学素子が前記複数の干渉変調器のうちの少なくとも１つの、少なくとも１つの表面に入射する光をリダイレクトするように配置されることとを備える方法により製造される、ディスプレイシステムである。
【０００８】
別の実施形態は画像を表示するためのディスプレイシステムであって、その上に入射する光を干渉的に変調する手段と、光を干渉的に変調する前記手段に入射する光をリダイレクトするために光を回折する手段であって、光を回折する前記手段が前記光を集光するように構成されている手段とを備える、ディスプレイシステムである。
【０００９】
別の実施形態は画像を表示するためのディスプレイシステムであって、その上に入射する光を変調するように構成される複数の干渉変調器と、前記複数の干渉変調器の少なくとも１つに入射する光をリダイレクトするように構成される集光回折光学素子とを備えるディスプレイシステムである。
【００１０】
別の実施形態は画像を表示するためのディスプレイシステムであって、その上に入射する光を干渉的に変調する手段と、光を干渉的に変調する前記手段に入射する光をリダイレクトするために光を回折する手段とを備える、ディスプレイシステムである。
【発明を実施するための最良の形態】
【００１１】
以下の詳細な説明は本発明のある特定の実施形態に向けられている。しかしながら、本発明は多数の異なった方法で具現化できる。この説明では、全体を通じて、同一部分が同一符号で示される図面が参照される。
【００１２】
好ましい実施形態では、本発明は、干渉ディスプレイとディスプレイとの視聴者の間に配置されるレンズ、フレネルレンズ、回折光学素子、又はバイナリ光学素子などの光学素子を含む。前記光学素子は、視角又は光角度の変化と見られるカラーシフトを低減するように構成される。
【００１３】
以下の詳細な説明は本発明のある特定の実施形態に向けられている。しかしながら、本発明は多数の異なった方法で具現化できる。この説明では、全体を通じて、同一部分が同一符号で示される図面が参照される。以下の説明から明らかとなるように、本発明は動いている（例えばビデオ）のか、あるいは静止しているのか（例えば静止画像）に関係なく、及びテキストなのか、あるいは写真なのかに関係なく画像を表示するように構成されている任意の装置で実現されてよい。さらに詳細には、本発明は携帯電話、無線装置、パーソナルデータアシスタント（ＰＤＡ）、ハンドヘルドコンピュータ又はポータブルコンピュータ、ＧＰＳ受信機／ナビゲータ、カメラ、ＭＰ３プレーヤ、カムコーダ、ゲームコンソール、腕時計、時計、計算機、テレビモニタ、フラットパネルディスプレイ、コンピュータモニタ、自動車ディスプレイ（例えば走行距離計ディスプレイ等）、コックピット制御装置及び／又はディスプレイ、カメラビューのディスプレイ（車両内の背面カメラのディスプレイ等）、電子写真、電子掲示板又は標識、プロジェクタ、建築物、包装、及び芸術的な構造物（例えば１個の宝石片の画像のディスプレイ）などであるが、これらに限定されない種々の電子装置の中で実現されてよい、あるいは種々の電子装置と関連付けられてよい。本明細書に説明されているものに類似する構造のＭＥＭＳ装置は、電子切換装置においてなどディスプレイではない用途でも使用できる。
【００１４】
干渉ＭＥＭＳディスプレイ要素を備える１つの干渉変調器ディスプレイ実施形態が、図１に描かれている。これらの装置では、ピクセルは明るい状態又は暗い状態のどちらかにある。明るい（「オン」又は「開放」）状態では、ディスプレイ要素はユーザに対して入射する可視光の大部分を反射する。暗い（「オフ」又は「閉鎖」）状態にあるときには、ディスプレイ要素はユーザに対して入射可視光をほとんど反射しない。実施形態に応じて、「オン」状態及び「オフ」状態の光反射率特性は逆にされてよい。ＭＥＭＳピクセルは選択された色を反射するように構成されている。これによって、黒と白だけではなく、カラー表示が可能となる。
【００１５】
図１は、各ピクセルがＭＥＭＳ干渉変調器を備える視覚ディスプレイ装置の一連のピクセルの中の２個の隣接するピクセルを描く等角図である。いくつかの実施形態では、干渉変調器ディスプレイはこれらの干渉変調器の行／列アレイを備える。各干渉変調器は、互いに可変で制御可能な距離に配置される１組の反射層を含み、少なくとも１つの可変寸法を持つ共振光学空洞を形成する。一実施形態では、反射層の一方が２つの位置の間で移動することができる。ここではリリース状態と呼ばれる第１の位置では、可動層は固定された部分反射層から相対的に長い距離に配置される。第２の位置では、可動層は部分反射層により近く隣接して配置される。２つの層から反射する入射光は可動反射層の位置に応じて強めあうように、又は弱めあうように干渉し、ピクセルごとに全面的に反射する状態又は非反射状態を生じさせる。
【００１６】
図１のピクセルアレイの描かれている部分は、２つの隣接する干渉変調器１２ａと１２ｂを含む。左側の干渉変調器１２ａでは、可動の高反射性層１４ａが、固定された部分反射層１６ａから所定の距離にあるリリース位置に描かれている。右側の干渉変調器１２ｂでは、可動の高反射性層１４ｂは、固定された部分反射層１６ｂに隣接する作動位置に描かれている。
【００１７】
固定層１６ａ、１６ｂは電気的に導電性であり、部分的に透明且つ部分的に反射性であり、例えば、それぞれクロムとインジウムスズ酸化物から成る１つ又は複数の層を透明基板２０の上に堆積することによって製造される。これら層は平行なストリップにパターン化され、さらに後述されるようなディスプレイ装置内で行電極を形成する。可動層１４ａ、１４ｂは、支柱１８の頂上及び支柱１８の間に配置される介在する犠牲材料の上に配置される１つ又は複数の（行電極１６ａ、１６ｂに直交する）堆積された金属層の一連の平行ストリップとして形成されてよい。犠牲材料がエッチングで取り去られると、変形可能な金属層が決められた空隙１９によって固定金属層から分離される。アルミニウムなどのきわめて導電性且つ反射性の材料が変形可能層のために使用されてよく、これらのストリップはディスプレイ装置の中で列電極を形成できる。
【００１８】
電圧が印加されていない状態では、空洞１９は層１４ａ、１６ａの間に残り、変形可能な層は図１のピクセル１２ａにより描かれているように機械的に弛緩された状態にある。しかしながら、電位差が選択された行と列に印加されると、対応するピクセルにある行電極と列電極の交差点に形成されるコンデンサが帯電し、静電力が電極を共に引っ張る。電圧が十分に高い場合には、可動層は変形され、図１の右側のピクセル１２ｂによって描かれているように、固定層に対して押し進められる（図に描かれていない誘電体が、短絡を妨げ、分離距離を制御するために固定層に配置されてよい）。印加された電位差の極性に関係なく作用は同じである。このようにして、反射ピクセル状態対非反射ピクセル状態を制御できる行／列アクチュエーションは、多くの点において従来のＬＣＤ及び他のディスプレイ技術で使用されるものに類似している。
【００１９】
図２から図５は、ディスプレイ用途で干渉変調器のアレイを使用するための１つの例示的なプロセス及びシステムを描いている。図２は、本発明の態様を組み込むことができる電子装置の一実施形態を描くシステムブロック図である。例示的な実施形態では、電子装置はＡＲＭ、Ｐｅｎｔｉｕｍ（登録商標）、Ｐｅｎｔｉｕｍ  ＩＩ（登録商標）、Ｐｅｎｔｉｕｍ  ＩＩＩ（登録商標）、Ｐｅｎｔｉｕｍ  ＩＶ（登録商標）、Ｐｅｎｔｉｕｍ（登録商標）Ｐｒｏ、８０５１、ＭＩＰＳ（登録商標）、Ｐｏｗｅｒ  ＰＣ（登録商標）、ＡＬＰＨＡ（登録商標）又はデジタル信号プロセッサ、マイクロコントローラ又はプログラマブルゲートアレイなどの任意の特殊目的マイクロプロセッサなどの、任意の汎用単一チップ又は複数チップマイクロプロセッサであってよいプロセッサ２１を含む。当技術分野においては従来の方法であるように、プロセッサ２１は１つ以上のソフトウェアモジュールを実行するように構成されてよい。オペレーティングシステムを実行することに加え、プロセッサは、ウェブブラウザ、電話アプリケーション、ｅメールプログラム又は任意の他のソフトウェアアプリケーションを含む、１つ又は複数のソフトウェアアプリケーションを実行するように構成されてよい。
【００２０】
一実施形態では、プロセッサ２１は、さらにアレイコントローラ２２と通信するように構成される。一実施形態では、アレイコントローラ２２は、ピクセルアレイ３０に信号を提供する行ドライバ回路２４と列ドライブ回路２６を含む。図１に描かれているアレイの断面は図２の線１−１によって図示されている。ＭＥＭＳ干渉変調器の場合、行／列アクチュエーションプロトコルは図３に描かれているこれらの装置のヒステリシス特性を利用してよい。それは例えば、可動層をリリース状態からアクチュエート状態に変形させるには１０ボルトの電位差を必要とするかもしれない。しかしながら、電圧がその値から減少すると、電圧が１０ボルトより下にドロップバックするので、可動層は、その状態を維持する。図３の例示的な実施形態では、可動層は、電圧が２ボルトより低く低下するまで完全にリリースされない。したがって、図３に描かれている例では、約３ボルトから７ボルトという電圧の範囲に、リリース状態又はアクチュエート状態で装置が安定する印加電圧のウィンドウが存在する。これは、ここで「ヒステリシスウィンドウ」又は「安定性ウィンドウ」と呼ばれている。図３のヒステリシス特性を有するディスプレイアレイの場合、行／列アクチュエーションプロトコルは、行ストローブの間、アクチュエートされるべきストローブされた行のピクセルが約１０ボルトの電圧差を受け、リリースされるべきピクセルがゼロボルト近くの電圧差を受けるように設計できる。ストローブの後、ピクセルは、それらが行ストローブがそれらをどのような状態にしても残るように約５ボルトの定常状態電圧差にさらされる。書き込まれた後、各ピクセルはこの例の３ボルトから７ボルトという「安定性ウィンドウ」内の電位差と判断する。この特徴により図１に描かれているピクセル設計は、事前に存在するアクチュエートされた、又はリリースされた状態で、同じ印加電圧条件下で安定する。干渉変調器の各ピクセルは、アクチュエート状態にあるのか、あるいはリリース状態にあるのかに関係なく、本質的に固定反射層及び移動反射層によって形成されるコンデンサであるため、この安定した状態は、ほとんど電力を消費することなくヒステリシスウィンドウ内での電圧で維持できる。本来、印加される電位が一定であれば、電流はピクセルの中に流れ込まない。
【００２１】
通常の用途では、ディスプレイフレームは第１行のアクチュエートされたピクセルの所望される集合に従って列電極の集合をアサートすることにより作成されてよい。行パルスは、次に行１電極に印加され、アサートされた列ラインに対応するピクセルをアクチュエートさせる。列電極のアサートされた集合は、次に第２行のアクチュエートされたピクセルの所望される集合に対応するように変更される。次にパルスが行２電極に印加され、アサートされた列電極に従って行２の適切なピクセルをアクチュエートさせる。行１ピクセルは行２パルスによって影響を及ぼされず、それらが行１パルスの間に設定された状態のままである。これが連続して一連の行全体について繰り返され、フレームが生成される。一般的には、フレームは毎秒何らかの所望数のフレームでこのプロセスを連続して繰り返すことによって新しいディスプレイデータでリフレッシュ、及び／又は更新される。ディスプレイフレームを生成するためにピクセルアレイの行電極と列電極を駆動するための多岐に渡るプロトコルも周知であり、本発明と共に使用されてよい。
【００２２】
図４及び図５は、図２の３×３アレイにディスプレイフレームを作成するための１つの可能なアクチュエーションプロトコルを描く。図４は、図３のヒステリシス曲線を示すピクセルについて使用されてよい列電圧レベルと行電圧レベルの考えられる集合を描いている。図４の実施形態では、ピクセルをアクチュエートすることは、それぞれ−５ボルトと＋５ボルトに相当しうる適切な列を−Ｖｂｉａｓに、適切な行を＋ΔＶに設定することを含む。ピクセルのリリースは、適切な列を＋Ｖｂｉａｓに、適切な行を同様に＋ΔＶに設定し、ピクセル間でゼロボルト電位差を生じさせることによって達成される。行電圧がゼロボルトで保持されるそれらの行では、ピクセルは、列が＋Ｖｂｉａｓにあるのか、あるいは−Ｖｂｉａｓにあるのかに関係なく、どのようであれそれらが最初にあった状態で安定している。
【００２３】
図５Ｂは、アクチュエートされたピクセルが非反射性である図５Ａに描かれているディスプレイ配列を生じさせるであろう図２の３×３アレイに印加される、一連の行信号と列信号を示すタイミング図である。図５Ａに描かれているフレームを書き込む前に、ピクセルは任意の状態にあり、この例では全ての行は０ボルトにあり、全ての列は＋５ボルトにある。これらの電圧が印加された状態で、全てのピクセルはそれらの既存のアクチュエート状態又はリリース状態で安定している。
【００２４】
図５Ａのフレームでは、ピクセル（１，１）、（１，２）、（２，２）、（３，２）及び（３，３）がアクチュエートされている。これを達成するには、行１の「ライン時間」の間に、列１と２が−５ボルトに設定され、列３が＋５ボルトに設定される。これは、全てのピクセルが３ボルトから７ボルトの安定性ウィンドウ内に留まるため、あらゆるピクセルの状態も変更しない。次に行１は、０から最大５ボルトまで移動し、ゼロに戻るパルスでストローブされる。これにより前記（１，１）ピクセルと前記（１，２）ピクセルはアクチュエートされ、前記（１，３）ピクセルはリリースされる。アレイの中の他のピクセルは影響を受けない。行２を所望されるように設定するために、列２は−５ボルトに設定され、列１と３は＋５ボルトに設定される。行２に印加された同じストローブは、次にピクセル（２，２）をアクチュエートさせ、ピクセル（２，１）及び（２，３）をリリースする。再び、アレイの他のピクセルは影響を受けない。行３は列２と３を−５ボルトに、列１を＋５ボルトに設定することにより同様に設定される。行３ストローブは行３ピクセルを図５Ａに図示されるように設定する。フレームを書き込んだ後、行電位はゼロであり、列電位は＋５ボルト又は−５ボルトのどちらかのままとなり、ディスプレイは図５Ａの配置で安定している。数十又は数百の行と列のアレイについて同じ手順を利用できることが理解できるであろう。行と列のアクチュエーションを実行するために使用される電圧のタイミング、シーケンス及びレベルは、前記に概略された一般原則の範囲内で幅広く変えることができ、前記例が例示的に過ぎず、任意のアクチュエーション電圧方法を本発明と共に使用できることも理解されるであろう。
【００２５】
前述された原則に従って動作する干渉変調器の構造の詳細は大きく変化してよい。例えば、図６Ａから図６Ｃは、移動鏡構造の３つの異なる実施形態を描いている。図６Ａは、金属材料１４のストリップが直角に伸張する支持体１８の上に置かれる図１の実施形態の断面図である。図６Ｂでは、可動反射材料１４はテザー３２上の角だけで支持体に取り付けられる。図６Ｃでは、可動反射材料１４は変形可能な層３４から吊るされる。この実施形態は、構造上の設計及び反射材料１４に使用される材料が光学特性に対して最適化でき、変形可能な層３４に使用される構造上の設計及び材料は、所望される機械的な特性に対して最適化できるために、利点を有している。多様な種類の干渉装置の製造は、例えば米国公告出願第２００４／００５１９２９号（特許文献１）を含む種々の公告された文書に説明されている。一連の材料堆積、パターン化、及びエッチングの工程を含む前述された構造を生成するためには、多岐に渡る周知の技法が使用されてよい。
【００２６】
図７は、ディスプレイ１００を介する光源１０２から視聴者１３０までの光路を描く、干渉変調器ディスプレイ１００の一実施形態の概略側面輪郭図である。図７に描かれている光源１０２は、例えば場所１０４又は１０６を含む場所範囲から光を伝達する。干渉変調器ディスプレイ１００は、干渉光変調器１１０ａ、１１０ｂ及び１１０ｃのアレイを含む。３台の光変調器のアレイが図７に描かれているが、ディスプレイ１００の実施形態は数千の、あるいは数百万の変調器を含んでよい。光変調器１１０ａ、１１０ｂ及び１１０ｃのそれぞれが１組の鏡１１２と１１４を含む。鏡１１２と１１４は、実質的に互いに平行に配置され、光学空洞をその間に定めるように距離１１６で離間される。光学空洞から反射される光の色は、この距離１１６によって少なくとも部分的に決まる。カラー画像を生成するように構成されるディスプレイ１００の例示的な実施形態では、距離１１６は、各光変調器１１０ａ、１１０ｂ、１１０ｃが例えば赤、青、又は緑などの特定の色から実質的に成る光を反射するように、光変調器１１０ａ、１１０ｂ、１１０ｃのそれぞれに選択される。他の実施形態では、この距離はディスプレイ１００内の全ての変調器１１０について実質的に同じであってよい。
【００２７】
一実施形態では、ディスプレイ１００は多くの光源から多くの光路に沿ってディスプレイ１００に到達する光を反射することにより、表示された画像を生成する。１つの例示的な光路では、場所１０４からの光は経路１２０に沿ってディスプレイ１００に到達する。この光は、経路１２０に沿った光の一部が視聴者１３０に対して経路１２２に沿って反射されるように干渉変調器要素１１０ａによって変調される。経路１２０と１２２に沿った入射光及び反射光は、互いに対して角度θを定める。鏡１１４から反射される、光源１０２から視聴者１３０へ移動する光は、鏡１１２から反射される、光源１０２から視聴者１３０に移動する光が移動するより短い経路（図示せず）を移動する。これらの２つの経路の経路長の差異は、いくつかの他の要因と共に、変調器要素１１０ａから反射されていると視聴者１３０が知覚する光のピーク波長を決定する。この経路長の差は距離１１６で乗算された角度θ／２のコサインにほぼ比例している。θ＝０の場合、コサインθ／２＝１であり、経路長の差は距離１１６の２倍である。角度θは、コサインθ／２が減少するにつれて大きくなり、経路１２０と１２２に従う光のために２つの鏡１１２と１１４により定められる経路長距離（距離１１８の２倍）は、このようにして事実上距離１１６の２倍よりも短くなる。変調器要素１１０ａで生じたこの減少した光学経路距離１１８は、変調器要素１１０ａにより反射される光の色のシフトに対応する。十分に大きな角度θで、視聴者１３０はディスプレイ１２０によって生成される色のこのカラーシフトを知覚できる。
【００２８】
図８は、ディスプレイ１００の画面全体に渡る集光レンズ２００を含む干渉変調器ディスプレイ１００の別の実施形態の概略側面輪郭図である。レンズ２００は、レンズ２００の焦点距離より短い、変調器１１０からの光学軸２０１に沿った距離に配置される。レンズ２００を含む図８の実施形態では、１つの光路が、光がそれに沿って場所１０６からディスプレイ１００に移動する経路セグメント２０２を含む。一実施形態では、レンズ２００は、ディスプレイ１００の干渉変調器の２つ以上の合計アパーチャより大きい光学アパーチャを有する。一実施形態では、レンズ２００は、干渉変調器のアレイの合計アパーチャより大きい光学アパーチャを有する。経路セグメント２０２からの光の少なくとも一部は、レンズ２００を通して伝達され、干渉変調器１１０ａの鏡の表面を介して反射される。この反射された光は再びレンズ２００を通って視聴者１３０に伝達される。概念上、レンズ２００は変調器要素１１０ａを通る視聴者１３０までの伝達のために、光源１０２上の場所１０６から到来する光を選択する。レンズ２００を通る視聴者への光の光路は、このようにしてレンズ２００を使用しない実施形態における視聴者への光路の入射角より、変調器の反射面でのさらに大きな入射角（９０°により近い）を有するように選択される。この光が視聴者１３０に伝達されることにより、光学軸２０１に沿って移動する光が従う距離に移動距離がさらに近くなるように、光学空洞内で経路長の差を変えることで、知覚されるカラーシフトが低減される。
【００２９】
一実施形態では、レンズ２００は光路セグメント２０２、２２０、２２２及び１２２を含む光路を実質的に介して視聴者１３０に光を向けるように構成される。経路２０２に沿って移動する光の光源は、光源１０２上の場所１０６である。選択された場所１０６は経路１２０に沿って移動する光が発せられた場所１０４より、ディスプレイシステムの中心軸により近い。ディスプレイ１００のこのような実施形態では、照明ソース角度を狭めることが、変調器要素１１０内の光線のより鋭角な角度に実質的に関与している。反射された経路セグメント２２２及び入射経路セグメント２２０は、角度θ’を決める。レンズ２００は、角度θ’が、図７のディスプレイにおいてのように、レンズ２００を使用しない実施形態で既存の光路に相当する経路セグメント１２０と１２２により定められる、角度θより小さくなるように選択される。干渉変調器要素１１０ａでのより小さな内在角度θ’は距離２２４の２倍の経路長差に相当する。そして、θ’はθより小さいので、経路長２２４は図７の経路長１１８より長くなる。このより長い経路長はディスプレイ１００によって反射される軸外光の知覚されたカラーシフトの低減に相当する。
【００３０】
一実施形態では、ディスプレイ１００は、視聴者の後ろのフィールド内の実質的に全ての点が、１つの光源場所から到達する光が任意の他の光源場所から到達する光と概してほんのわずかに異なるように同様に照明される、ブロードバンド周囲照明を有する光源１０２を使用して見られる直視型干渉ディスプレイである。レンズ２００は、このようにして、視聴者１３０に対して、レンズ２００を使用しないで選択されるよりさらに小さな角度に内在するフィールド内の点から光を選択する。
【００３１】
一実施形態では、集光レンズ２００は凸レンズである。当業者は、所望される特徴的な特性を有するためにレンズ２００を構築するための形状及び材料を引き出すために、当技術分野において周知である技法を使用できる。しかしながら、ハンドヘルドディスプレイ装置又は他の携帯用ディスプレイ装置などの多くの典型的なディスプレイ用途では、レンズ２００は通常望ましくないほど大きく、扱いにくい。さらにレンズ２００用の構造上の支持体（図示せず）は、ディスプレイ１００にコストと複雑さを追加する場合があり、したがってこのような典型的な製品へのレンズ２００の統合を非現実的にする傾向がある。
【００３２】
例えば集光レンズ２００の代替策として、この大きさを縮小するために、実施形態はフレネルレンズを含む任意の他の適切な集光光学素子を含んでよい。フレネルレンズは望ましくは、図８のレンズ２００として示されるもののような単純な曲線状のレンズの実施形態よりさらに小さく、扱いやすい。しかしながら、フレネルレンズの大きさの縮小も、依然として多くの携帯用途には非実際的に大きい傾向がある。レンズ２００の他の実施形態は、当技術分野において既知である任意の他の種類の集光レンズ又は光学素子を含んでよい。
【００３３】
光制御用途でレンズを使用することの代替策は、ホログラフィック光学素子を含む回折光学素子を使用することである。概念上は、光学機能（例えばフレネルレンズ）への段階的な近似であると見なされてよい回折光学素子（「ＤＯＥ」）は、一実施形態では、例えば光を集光するあるいは光の焦点を合わせるために所定の方法で光を回折するようにフォトリソグラフィック技法を使用してパターン化され、基板上にエッチングされた構造を備える、光変調要素である。一実施形態では、構造の寸法は、影響を及ぼされる光の波長に応じて、サイズが数ミクロンである。通常、例えば集光レンズの特定の光学機能を実行するためにＤＯＥを決める構造のパターン及び形状を計算するために、適切なコンピュータプログラムが典型的に使用される。このようなソフトウェアの例は、カリフォルニア州パサディナ（Ｐａｓａｄｅｎａ，ＣＡ）のオプティカルリサーチアソシエーツ社（Ｏｐｔｉｃａｌ  Ｒｅｓｅａｒｃｈ  Ａｓｓｏｃｉａｔｅｓ，Ｉｎｃ．）から入手できるＣＯＤＥ  Ｖ、及びニューヨーク州ロチェスター（Ｒｏｃｈｅｓｔｅｒ，ＮＹ）のランバダリサーチアソシエーツ社（Ｌａｍｂａｄａ  Ｒｅｓｅａｒｃｈ  Ａｓｓｏｃｉａｔｅｓ，Ｉｎｃ．）から入手できるＯＳＬＯ、及びアリゾナ州トゥーソン（Ｔｕｃｓｏｎ，ＡＺ）のフォーカスソフトウェア（Ｆｏｃｕｓ  Ｓｏｆｔｗａｒｅ）から入手できるＺＥＭＡＸを含む。例えば、適切なレンズ構造の計算を含む回折光学系に関する詳細は、Ｄｏｎａｌｄ  Ｃ．Ｏ’Ｓｈｅａ、Ｔｈｏｍａｓ  Ｊ．Ｓｕｌｓｋｉ、Ａｌａｎ  Ｄ．Ｋａｔｈｍａｎ、Ｄｅｎｎｉｓ  Ｗ．Ｐｒａｔｈｅｒの「Ｄｉｆｆｒａｃｔｉｖｅ  Ｏｐｔｉｃｓ：Ｄｅｓｉｇｎ，Ｆａｂｒｉｃａｔｉｏｎ，＆Ｔｅｓｔ）」（フォトオプティカル計器工学学会（Ｓｏｃｉｅｔｙ  ｏｆ  Ｐｈｏｔｏ−Ｏｐｔｉｃａｌ  Ｉｎｓｔｒｕｍｅｎｔａｔｉｏｎ  Ｅｎｇｉｎｅｅｒｉｎｇ）２００３年）（非特許文献１）に掲載されている。
【００３４】
１つの種類のＤＯＥはバイナリ光学素子（「ＢＯＥ」）である。バイナリ光学素子は、別個の数の回折面を備える回折光学素子である。最も簡略な形式は、単一リソグラフィック工程によって形成されるなど、２つの回折面を有する単一工程要素から構成される。この２つの面は入射波面に０又はπ位相差を生じさせる。マルチレベルバイナリ要素は、例えばＮ個のリソグラフィック工程により形成されるようなＮレベルの材料を含む。Ｎレベルは２Ｎ相レベルを生じさせることがある。
【００３５】
図９は、干渉変調器要素１１０ａを介する光源１０２の場所１０６から視聴者１３０までの光路内に回折光学素子３０２を含む、干渉変調器ディスプレイ１００の実施形態の概略側面輪郭図である。ＤＯＥ３０２の描かれている実施形態は、Ｎ＝３を有するバイナリ光学素子である。他の実施形態では、Ｎは任意の数であってよい。いくつかの実施形態では、Ｎは１、２、３、４又は５であってよい。他の実施形態では、Ｎは１から１０の範囲内にあってよい。
【００３６】
ＤＯＥ３０２は集光ＤＯＥを含む。集光ＤＯＥは、集光レンズの光学機能を実行する、つまりＤＯＥ３０２の光学軸２０１に向かって光を集光するように構成されるＤＯＥである。図７から図１０のそれぞれに描かれている要素は、ある一定の縮尺で描かれておらず、要素に基づく光学機能を実行するための任意の構造の正確な説明となることも意図していないことが認識されなければならない。回折光学素子（ＤＯＥ）３０２は、通常、多数の小さな要素３０４を含む。これら要素３０４のそれぞれが１つ以上の要素の積み重ねを含む。いくつかのこのような要素３０４は階段状の形状を定める。前述されたように、これら要素３０４のサイズ及び位置は、通常、コンピュータ及び適切なソフトウェアを使用して計算される。一実施形態では、要素は同心円形のリングの集合を定めるパターンで配列されている。別の実施形態では、要素３０２は、本明細書に説明されている光学機能を集合的に達成する局所的な構造にグループ化される。要素３０４は、フォトレジスト、硬化フォトレジスト（例えば炉の中で硬く焼き固められた）、シリカ、石英ガラス又はプラスチックなどの適切な材料を使用し、フォトリソグラフィック技法を使用して形成できる。一実施形態では、特定の厚さ及び屈折率を有する一連の材料層が、ＤＯＥ３０２の要素３０４を形成するために堆積され、エッチングされる。このようにして、レンズ２００の場合でのように、ＤＯＥ３０２は光源１０２の場所１０６から発せられる光線を選択する。この光の少なくとも一部が、視聴者１３０までの経路セグメント１２２に沿って干渉変調器要素１１０ａによって反射される。
【００３７】
一実施形態では、ＤＯＥ３０２は、ディスプレイ１００に取り付けられる別個の基板上に形成される。一実施形態では、前記別個の基板は膜を含む。ディスプレイ１００は概して均等拡散パターンで干渉変調器要素１１０ａにより反射される鏡面反射光を散乱するための拡散器（図示せず）を含んでよい。一実施形態では、この拡散器はＤＯＥ３０２を含む。別の実施形態では、ＤＯＥ３０２は、ディスプレイ１００の干渉変調器１１０ａ、１１０ｂ及び１１０ｃと同じ基板に形成される。例えば、干渉変調器１１０ａ、１１０ｂ及び１１０ｃはガラス基板に形成されてよい。一実施形態では、干渉変調器１１０、１１０ａ、１１０ｂ、及び１１０ｃのそれぞれはガラス基板の第１の面に形成され、ＤＯＥ３０２はガラス基板の反対側に形成される。
【００３８】
別の実施形態では、ＤＯＥ３０２は変調器１１０と基板の同じ側に形成される。このような一実施形態では、要素３０４は基板上に形成され、平坦化層で覆われる。干渉変調器１１０、１１０ａ、１１０ｂ及び１１０ｃは次にこの平坦化層に形成される。一実施形態では、平坦化材料は回折要素３０４を製造するために使用される材料の屈折率とは異なる屈折率を有する。ＤＯＥ３０２内の回折要素３０４のパターンは、回折要素３０４を形成する材料と平坦化層を形成する材料の両方の屈折率に基づいて計算される。
【００３９】
一実施形態では、回折光学要素３０２は、簡略なＮ＝１のバイナリ光学素子から形成される。図１０は、干渉変調器要素１１０ａを介した光源１０２の場所１０６から視聴者１３０までの光路内でＮ＝１を有するＤＯＥ３０２の実施形態を含む、干渉変調器ディスプレイ１００の別の実施形態の概略側面輪郭図である。図１０のＤＯＥ３０２の実施形態は、概して互いとほぼ同じ高さ又は厚さを有するように形成される、ＢＯＥ構造４０４の集合を使用することにより作成される。図１０の例示的なＤＯＥ３０２は均一に離間された構造４０４を有するとして描かれているが、構造４０４の幅と間隔は所望される光学機能を達成するために調整されてよい。描かれている実施形態では、ＤＯＥ３０２はフォトリソグラフィックにパターン化され、エッチングされる材料の、単一の層から形成されてよい。ＤＯＥ３０２のこのような実施形態は、図９のマルチレベルバイナリ光学素子３０２の実施形態より少ない工程で形成される。単一レベルＤＯＥ３０２は、様々な位置で、様々な基板上に設置され、複数レベルＤＯＥ３０２について前述されたのと同じように平坦化されてよい。
【００４０】
ＤＯＥ３０２などのバイナリ光学素子は、所望される光学機能の近似だけを画定する。一般的にバイナリ光学素子内の層が多いほど、所望される光学機能の近似はさらによくなる。しかしながら、集光レンズ２００の光学機能の近似は、視聴者１３０に対して干渉変調器１１０ａによって反射される光源１０２からの光のカラーシフトを少なくとも部分的に低減する。いくつかの実施形態では、カラーシフトのこの部分的な低減は、軸外光源及び軸外の表示のためのディスプレイ１００の知覚カラー精度を高めるのに十分である。
【００４１】
ＤＯＥ３０２の実施形態は、ＤＯＥ３０２に対して前述された実施形態のどれかと同様にディスプレイ１００に関して形成されてよい。例えば、ＤＯＥ３０２は拡散器上、別個の基板上、あるいは干渉変調器１１０ａ、１１０ｂ、及び１１０ｃの基板のどちらかの面上に形成されてよい。
【００４２】
約３０インチを上回る対角サイズのディスプレイなどのさらに大きなディスプレイの場合、例えば数メートルなどの典型的な家庭の視聴距離で、視聴者は、ディスプレイの中心に配置されていたとしても、ディスプレイの一部の角度カラーシフトを知覚することがある。回折光学素子３０２などの光学素子の実施形態が、ディスプレイの少なくとも一部についてこのカラーシフトを低減するように構成されてよいことが認識されなければならない。
【００４３】
回折光学素子３０２の実施形態は他の光学機能を実行するように構成されてよい。例えば、いくつかの実施形態では、ディスプレイからの光を好ましい視聴位置の範囲に向けることが望ましい場合がある。したがって、このような実施形態では、回折光学素子３０２は、視野を制御するため、画像の視野方向を制限する又は拡大するため、あるいは画像のサイズを制御するために、ディスプレイ１００からの光を向けるように構成されてもよい。一実施形態では、光学素子は、例えばディスプレイ１００の水平軸の周りでディスプレイ１００からの光を拡散することによってなど、ディスプレイからの光の一部を角度の範囲に向けることによって、（視聴者に対して）水平にディスプレイの視野を制御するように構成されるレンズ形の構成部品を含む。一実施形態では、光学素子は、垂直軸に沿ってよりも、水平軸に沿ってさらに大きな角度範囲を通して光を拡散する。これが、例えばディスプレイの周りの室内の座席位置範囲など軸外の視聴位置で受光される光の量を増加させる。一実施形態では、回折光学素子３０２は、レンチキュラレンズの光学機能を実行するようにさらに構成される。
【００４４】
別の実施形態では、ディスプレイ１００はディスプレイ１００を基準にして既知の位置を有するある特定の光源又は光源の集合を含む、あるいは使用するように構成されてよい。このような実施形態では、回折光学素子３０２は、場所、照明量、又は光源のアパーチャに基づいて光を向けるように調整される。一実施形態では、光源はディスプレイを照明するためにディスプレイ１００の前面の周りに配置される１個又は複数個の発光ダイオードを含む。このような実施形態では、ＤＯＥ３０２は、光源によるディスプレイの不均一な照明を補償する、あるいは例えばディスプレイ１００の表面上でＤＯＥ３０２を通して伝達される光の量を変えることによって、光源の他の望ましくない特性の影響を補償するように構成される。
【００４５】
図１１Ａ及び図１１Ｂは、ディスプレイ装置２０４０の実施形態を描くシステムブロック図である。ディスプレイ装置２０４０は、例えばセルラ電話又は携帯電話である場合がある。しかしながら、ディスプレイ装置２０４０の同じ構成部品又はそのわずかな変形物も、テレビ及びポータブルメディアプレーヤなどの多様な種類のディスプレイ装置を例証している。
【００４６】
ディスプレイ装置２０４０は、ハウジング２０４１、ディスプレイ２０３０、アンテナ２０４３、スピーカ２０４５、入力装置２０４８、及びマイク２０４６を含む。ハウジング２０４１は、射出成形及び真空成型を含む、概して当業者に周知であるような種々の製造プロセスのどれかから形成される。加えて、ハウジング２０４１は、プラスチック、金属、ガラス、ゴム及びセラミック、又はその組み合わせを含むがこれらに限定されない、種々の材料のどれかから作られてよい。一実施形態では、ハウジング２０４１は別の色の他の取り外し自在な部分と交換されてよい、あるいは異なるロゴ、ピクチャ又はシンボルを含む取り外し自在な部分（図示せず）を含む。
【００４７】
例示的なディスプレイ装置２０４０のディスプレイ２０３０は、本明細書に記載される双安定ディスプレイを含む様々なディスプレイのいずれであってもよい。他の実施形態において、ディスプレイ２０３０は、前述されたようなプラズマ、ＥＬ、ＯＬＥＤ、ＳＴＮ  ＬＣＤ又はＴＦＴ  ＬＣＤなどのフラットパネルディスプレイ、あるいは当業者に周知であるように、ＣＲＴ又は他のチューブ装置のような非フラットパネルディスプレイを含む。しかしながら、本実施形態を説明するために、ディスプレイ２０３０は、本明細書に説明されるように干渉変調器ディスプレイを含む。
【００４８】
例示的なディスプレイ装置２０４０の一実施形態の構成要素は、図１１Ｂに概略的に描かれている。前記描かれている例示的なディスプレイ装置２０４０は、ハウジング２０４１を含み、少なくとも部分的にその中に封入される追加の構成要素を含むことができる。例えば、一実施形態では、例示的なディスプレイ装置２０４０は、トランシーバ２０４７に結合されるアンテナ２０４３を含むネットワークインタフェース２０２７を含む。トランシーバ２０４７は、調整ハードウェア２０５２に接続されるプロセッサ２０２１に接続される。調整ハードウェア２０５２は、信号を調整する（例えば信号にフィルタをかける）ように構成されてよい。調整ハードウェア２０５２は、スピーカ２０４５及びマイク２０４６に接続される。プロセッサ２０２１は、入力装置２０４８及びドライバコントローラ２０２９にも接続される。ドライバコントローラ２０２９はフレームバッファ２０２８に、及び代わりにディスプレイアレイ２０３０に結合されるアレイドライバ２０２２に結合される。電源２０５０は、特定の例示的なディスプレイ装置２０４０設計によって必要とされるように、全ての構成要素に電力を提供する。
【００４９】
ネットワークインタフェース２０２７は、例示的なディスプレイ装置２０４０がネットワーク上で１台以上の装置と通信できるように、アンテナ２０４３及びトランシーバ２０４７を含む。一実施形態では、ネットワークインタフェース２０２７は、プロセッサ２０２１の要件を緩和するためのいくつかの処理機能を有してもよい。アンテナ２０４３は、信号を送受するための当業者に既知である任意のアンテナである。一実施形態では、アンテナはＩＥＥＥ８０２．１１（ａ）、（ｂ）又は（ｇ）を含むＩＥＥＥ  ８０２．１１規格に従ってＲＦ信号を送受する。別の実施形態では、アンテナはブルーツース（ＢＬＵＥＴＯＯＴＨ）規格に従ってＲＦ信号を送受する。セルラ電話のケースでは、アンテナは、無線携帯電話網内で通信するために使用されるＣＤＭＡ、ＧＳＭ、ＡＭＰＳ又は他の既知の信号を受信するように設計される。トランシーバ２０４７は、それらがプロセッサ２０２１によって受信され、さらに操作されるようにアンテナ２０４３から受信される信号を前処理する。トランシーバ２０４７は、それらがアンテナ２０４３を介して例示的なディスプレイ装置２０４０から伝達できるようにプロセッサ２０２１から受信される信号も処理する。
【００５０】
代替実施形態では、トランシーバ２０４７は受信機で置換できる。さらに別の代替実施形態では、ネットワークインタフェース２０２７は、プロセッサ２０２１に送信される画像データを記憶する、又は生成することができる画像ソースで置換できる。例えば、画像ソースは、デジタルビデオディスク（ＤＶＤ）又は画像データを含むハードディスクドライブ、あるいは画像データを生成するソフトウェアモジュールである場合がある。
【００５１】
プロセッサ２０２１は、概して例示的なディスプレイ装置２０４０の全体的な動作を制御する。プロセッサ２０２１は、ネットワークインタフェース２０２７又は画像ソースから圧縮画像データなどのデータを受信し、前記データを未処理画像データに、あるいは未処理画像データに容易に処理されるフォーマットに処理する。次に、プロセッサ２０２１は処理されたデータをドライバコントローラ２０２９に、又は記憶のためにフレームバッファ２０２８に送信する。未処理データは、通常、画像内の各位置で画像特性を識別する情報を指す。例えば、このような画像特性は色彩、彩度、及びグレイスケールレベルを含むことがある。
【００５２】
一実施形態では、プロセッサ２０２１は、例示的なディスプレイ装置２０４０の動作を制御するためにマイクロコントローラ、ＣＰＵ又は論理演算装置を含む。調整ハードウェア２０５２は、通常、スピーカ２０４５に信号を送信するため、及びマイク２０４６から信号を受信するために、増幅器及びフィルタを含む。調整ハードウェア２０５２は、例示的なディスプレイ装置２０４０内の別々の構成要素であってよいか、あるいはプロセッサ２０２１又は他の構成要素内に組み込まれてよい。
【００５３】
ドライバコントローラ２０２９はプロセッサ２０２１によって生成される未処理画像データを、プロセッサ２０２１からじかに、あるいはフレームバッファ２０２８からのどちらかで取り、未処理画像データをアレイドライバ２０２２への高速伝送のために適切にフォーマットし直す。特に、ドライバコントローラ２０２９は未処理画像データを、ラスタ状の形式を有するデータフローにフォーマットし直し、その結果それはディスプレイアレイ２０３０全体での走査のために適した時間順を有する。次にドライバコントローラ２０２９はフォーマットされた情報をアレイドライバ２０２２に送信する。ＬＣＤコントローラなどのドライバコントローラ２０２９は、多くの場合、スタンドアロン集積回路（ＩＣ）としてシステムプロセッサ２０２１と関連付けられているが、このようなコントローラは多くの方法で実現されてよい。それらはハードウェアとしてプロセッサ２０２１に埋め込まれてよいか、ソフトウェアとしてプロセッサ２０２１に埋め込まれてよいか、あるいはアレイドライバ２０２２とハードウェア内で完全に一体化されてよい。
【００５４】
通常、アレイドライバ２０２２はドライバコントローラ２０２９からフォーマットされた情報を受信し、ディスプレイのピクセルのｘ−ｙ行列から出現する数百本、ときには数千本のリード線に毎秒何回も適用される波形の平行集合に、ビデオデータをフォーマットし直す。
【００５５】
一実施形態では、ドライバコントローラ２０２９、アレイドライバ２０２２及びディスプレイアレイ２０３０は、本明細書に説明されている種類のディスプレイのどれかに適切である。例えば、一実施形態では、ドライバコントローラ２０２９は、従来のディスプレイコントローラ又は双安定ディスプレイコントローラ（例えば干渉変調器コントローラ）である。別の実施形態では、アレイドライバ２０２２は従来のドライバ又は双安定ディスプレイドライバ（例えば干渉変調器ディスプレイ）である。一実施形態では、ドライバコントローラ２０２９はアレイドライバ２０２２と統合される。このような実施形態は、携帯電話、腕時計及び他の小領域ディスプレイなどの高度に統合されたシステムで一般的である。さらに別の実施形態では、ディスプレイアレイ２０３０は典型的なディスプレイアレイ又は双安定ディスプレイアレイ（例えば干渉変調器のアレイを含むディスプレイ）である。
【００５６】
入力装置２０４８は、ユーザが例示的なディスプレイ装置２０４０の動作を制御できるようにする。一実施形態では、入力装置２０４８は、ＱＷＥＲＴＹキーボード又は電話キーパッドなどのキーパッド、ボタン、スイッチ、タッチセンシティブスクリーン、感圧性又は感熱性の膜を含む。一実施形態では、マイク２０４６は例示的なディスプレイ装置２０４０用の入力装置である。マイク２０４６が装置にデータを入力するために使用されるとき、音声コマンドは例示的なディスプレイ装置２０４０の動作を制御するためにユーザによって提供されてよい。
【００５７】
電源２０５０は、当技術分野において周知であるように種々のエネルギー貯蔵装置を含むことができる。例えば、一実施形態では、電源２０５０は、ニッケル−カドミウム電池又はリチウムイオン電池などの再充電可能電池である。別の実施形態では、電源２０５０は再生可能なエネルギー源、コンデンサ又はプラスチック太陽電池を含む太陽電池、及び太陽電池塗料である。別の実施形態では、電源２０５０は、壁コンセントから電力を受け入れるように構成される。
【００５８】
いくつかの実施では、制御プログラム化可能性は、前述されたように、電子ディスプレイシステム内の複数の場所に配置できるドライバコントローラに常駐する。いくつかのケースでは、制御プログラム化可能性はアレイドライバ２０２２に常駐する。当業者は、前述された最適化が任意の数のハードウェア及び／又はソフトウェア構成要素において、及び多様な構成で実現されてよいことを認識するであろう。
【００５９】
前記を鑑みて、本発明の実施形態が、視角又は光角度が変化するにつれ明らかになるカラーシフトを低減する光学素子を備えた干渉変調器ディスプレイを提供することにより、当技術分野の問題点の多くを克服することを理解するであろう。さらに、この光学素子はいくつかの追加のフォトリソグラフィック工程を使用することにより、ディスプレイにコスト効率よく含むことができる。
【００６０】
前記の詳細な説明は多様な実施形態に適用されるような本発明の新規の特徴を示し、説明し、指摘してきたが、形式の多様な省略、置換及び変更、ならびに描かれている装置又はプロセスの詳細が本発明の精神から逸脱することなく当業者により作られてよいことが理解されるであろう。認識されるように、本発明は、いくつかの機能は他とは別個に使用される、あるいは実践されてよいため、本明細書に述べられている機能及び利点の全てを提供しない形式で実現されてよい。
【図面の簡単な説明】
【００６１】
【図１】図１は、第１の干渉変調器の可動反射層がリリース位置にあり、第２の干渉変調器の可動反射層がアクチュエート位置にある、干渉変調器ディスプレイの一実施形態の一部を描く等測図である。
【図２】図２は、３×３干渉変調器ディスプレイを組み込む電子装置の一実施形態を描く、システムブロック図である。
【図３】図３は、図１の干渉変調器の１つの例示的な実施形態のための可動鏡位置対印加電圧の図である。
【図４】図４は、干渉変調器ディスプレイを駆動するために使用される行電圧と列電圧の集合の図である。
【図５Ａ】図５Ａは、図２の３×３干渉変調器ディスプレイにディスプレイデータのフレームを書き込むために使用される行信号と列信号のための１つの例示的なタイミング図である。
【図５Ｂ】図５Ｂは、図２の３×３干渉変調器ディスプレイにディスプレイデータのフレームを書き込むために使用される行信号と列信号のための１つの例示的なタイミング図である。
【図６Ａ】図６Ａは、図１の装置の断面図である。
【図６Ｂ】図６Ｂは、干渉変調器の代替実施形態の断面図である。
【図６Ｃ】図６Ｃは、干渉変調器の別の代替実施形態の断面図である。
【図７】図７は、ディスプレイの干渉変調器要素を介する光源から視聴者までの光路を描く、干渉変調器ディスプレイの一実施形態の概略側面輪郭図である。
【図８】図８は、干渉変調器要素を介する光源から視聴者までの光路内にレンズを含む、図７に描かれているものに類似した、干渉変調器ディスプレイの別の実施形態の概略側面輪郭図である。
【図９】図９は、干渉変調器要素を介する光源から視聴者までの光路内に回折光学素子を含む、図８に描かれているものに類似した、干渉変調器ディスプレイの別の実施形態の概略側面輪郭図である。
【図１０】図１０は、干渉変調器要素を介する光源から視聴者までの光路内に単一レベルバイナリ光素子を含む、図８に描かれているものに類似した干渉変調器ディスプレイの別の実施形態の概略側面輪郭図である。
【図１１Ａ】図１１Ａは、複数の干渉変調器を備える視覚ディスプレイ装置の実施形態を描く、システムブロック図である。
【図１１Ｂ】図１１Ｂは、複数の干渉変調器を備える視覚ディスプレイ装置の実施形態を描く、システムブロック図である。
【図１】
0005452833.tif 000002
【図２】
0005452833.tif 000003
【図３】
0005452833.tif 000004
【図４】
0005452833.tif 000005
【図５Ａ】
0005452833.tif 000006
【図５Ｂ】
0005452833.tif 000007
【図６Ａ】
0005452833.tif 000008
【図６Ｂ】
0005452833.tif 000009
【図６Ｃ】
0005452833.tif 000010
【図７】
0005452833.tif 000011
【図８】
0005452833.tif 000012
【図９】
0005452833.tif 000013
【図１０】
0005452833.tif 000014
【図１１Ａ】
0005452833.tif 000015
【図１１Ｂ】
0005452833.tif 000016